(57)【要約】【課題】  リンク機構の設置幅を狭めることができるブラインド装置を提供すること。【解決手段】  ブラインド装置１は、横方向Ｘで互いに対向している一対の縦枠２及び３間において互いに上下方向Ｚで並置された複数の羽根４と、複数の羽根４を相互に連結している折り畳み自在なリンク機構５と、複数の羽根４を上下方向Ｚにおいて上昇及び下降させる昇降機構６と、リンク機構５の一対の前縁リンク部材３４及び３５と一対の後縁リンク部材４４及び４５とに相対的な位置変化を生じさせて、複数の羽根４を傾動させるチルト機構７とを具備している。【選択図】図１
2006083624.tif 000002
【特許請求の範囲】
【請求項１】
互いに並置された複数の羽根と、この複数の羽根を相互に連結している折り畳み自在なリンク機構と、複数の羽根を上昇及び下降させる昇降機構とを具備しており、リンク機構は、互いに隣接する羽根の前縁部に夫々の一端で回転自在に連結されていると共に他端で互いに回転自在に連結されて折り畳み自在となっている一対の前縁リンク部材と、前後方向で一対の前縁リンク部材に並んで配されており、互いに隣接する羽根の後縁部に夫々の一端で回転自在に連結されていると共に他端で互いに回転自在に連結されて折り畳み自在となっている一対の後縁リンク部材と、一対の前縁リンク部材及び一対の後縁リンク部材が折り畳まれた際に、一対の前縁リンク部材及び一対の後縁リンク部材の夫々の他端が夫々の一端よりも前方に位置するように、一対の前縁リンク部材及び一対の後縁リンク部材の夫々の他端が夫々の一端よりも後方に位置するように又は一対の前縁リンク部材の他端が一端よりも前方に位置すると共に一対の後縁リンク部材の他端が一端よりも後方に位置するように、一対の前縁リンク部材及び一対の後縁リンク部材の夫々の折り畳み方向を特定する特定手段とを具備しているブラインド装置。
【請求項２】
羽根の長手方向における端部には凹所又は長孔が形成されており、他端が一端よりも後方に位置するように折り畳まれる一対の前縁リンク部材又は他端が一端よりも前方に位置するように折り畳まれる一対の後縁リンク部材の夫々の一端は、当該凹所又は長孔において羽根の夫々の端部に回転自在に連結されている請求項１に記載のブラインド装置。
【請求項３】
特定手段は、一対の前縁リンク部材及び一対の後縁リンク部材の夫々の折り畳み方向を特定すべく、一方の前縁リンク部材及び一方の後縁リンク部材の夫々の他端に設けられていると共に、他方の前縁リンク部材及び他方の後縁リンク部材の夫々の他端に接して一対の前縁リンク部材の相互の所定量以上の回転及び一対の後縁リンク部材の相互の所定量以上の回転を阻止する阻止片を具備している請求項１又は２に記載のブラインド装置。
【請求項４】
一対の前縁リンク部材と一対の後縁リンク部材とに相対的な位置変化を生じさせて、複数の羽根を傾動させるチルト機構を更に具備している請求項１から３のいずれか一項に記載のブラインド装置。
【請求項５】
チルト機構は、揺動により複数の羽根を傾動させることができるように、最上位の羽根の前縁部又は最上位の前縁リンク部材の一端に前縁部で連結されていると共に最上位の羽根の後縁部又は最上位の後縁リンク部材の一端に後縁部で連結されている揺動自在な揺動自在部材と、揺動自在部材を揺動させるべく昇降機構の作動を揺動自在部材に伝達するクラッチ機構とを具備している請求項４に記載のブラインド装置。
【請求項６】
昇降機構は、複数の羽根のうちの最下位の羽根から上昇させると共に当該最下位の羽根から下降させるようになっている請求項１から５のいずれか一項に記載のブラインド装置。
【発明の詳細な説明】
【技術分野】
【０００１】
本発明は、建物の窓等に配された複数の羽根の昇降及び傾動により当該窓等の目隠しをするブラインド装置に関する。
【背景技術】
【０００２】
【特許文献１】特開２００２−１６８０６８号公報
【０００３】
例えば特許文献１においては、互いに隣接する羽根の長手方向における両端部に夫々形成された凹所において当該羽根の前縁部に夫々の一端で回転自在に連結されていると共に他端で互いに回転自在に連結されて折り畳み自在となっている一対の前縁リンク部材と、互いに隣接する羽根の前記凹所において当該羽根の後縁部に夫々の一端で回転自在に連結されていると共に他端で互いに回転自在に連結されて折り畳み自在となっている一対の後縁リンク部材とからなるリンク機構により複数の羽根を相互に連結しているブラインド装置が提案されている。斯かるブラインド装置の一対の前縁リンク部材及び一対の後縁リンク部材は、一対の前縁リンク部材の他端が一端よりも後方に位置すると共に一対の後縁部材の他端が一端よりも前方に位置するように折り畳まれるようになっており、このように構成された一対の前縁リンク部材と一対の後縁リンク部材とは、折り畳み時におけるこれら相互の干渉を避けるべく羽根の長手方向で互いに並んで配されている。
【発明の開示】
【発明が解決しようとする課題】
【０００４】
ところで、斯かるブラインド装置では、一対の前縁リンク部材の他端が一端よりも後方に位置すると共に一対の後縁部材の他端が一端よりも前方に位置するように折り畳まれるようになっているために、一対の前縁リンク部材と一対の後縁リンク部材との折り畳み時における相互の干渉を避けるべく羽根の長手方向で互いに並んで配されることとなる結果、リンク機構の羽根の長手方向における設置幅を狭めることが困難である。尚、斯かるブラインド装置の縦枠やリンク機構の設置幅を狭められれば、建物の開口部を広く確保することができると共に羽根による光、風等の遮断領域を拡大することができる。また、斯かるブラインド装置の前記設置幅を狭めることは、例えば、ブラインド装置を横方向に並んだビルの窓の夫々に並置する際に柱幅との関連でブラインド装置とブラインド装置との間を狭くすることが要求される場合に、必要とされる。
【０００５】
本発明は、前記諸点に鑑みてなされたものであり、その目的とするところは、リンク機構の設置幅を狭めることができるブラインド装置を提供することにある。
【課題を解決するための手段】
【０００６】
本発明のブラインド装置は、互いに並置された複数の羽根と、この複数の羽根を相互に連結している折り畳み自在なリンク機構と、複数の羽根を上昇及び下降させる昇降機構とを具備しており、リンク機構は、互いに隣接する羽根の前縁部に夫々の一端で回転自在に連結されていると共に他端で互いに回転自在に連結されて折り畳み自在となっている一対の前縁リンク部材と、前後方向で一対の前縁リンク部材に並んで配されており、互いに隣接する羽根の後縁部に夫々の一端で回転自在に連結されていると共に他端で互いに回転自在に連結されて折り畳み自在となっている一対の後縁リンク部材と、一対の前縁リンク部材及び一対の後縁リンク部材が折り畳まれた際に、一対の前縁リンク部材及び一対の後縁リンク部材の夫々の他端が夫々の一端よりも前方に位置するように、一対の前縁リンク部材及び一対の後縁リンク部材の夫々の他端が夫々の一端よりも後方に位置するように又は一対の前縁リンク部材の他端が一端よりも前方に位置すると共に一対の後縁リンク部材の他端が一端よりも後方に位置するように、一対の前縁リンク部材及び一対の後縁リンク部材の夫々の折り畳み方向を特定する特定手段とを具備している。
【０００７】
本発明のブラインド装置によれば、特に、一対の前縁リンク部材及び一対の後縁リンク部材が折り畳まれた際に、一対の前縁リンク部材及び一対の後縁リンク部材の夫々の他端が夫々の一端よりも前方に位置するように、一対の前縁リンク部材及び一対の後縁リンク部材の夫々の他端が夫々の一端よりも後方に位置するように又は一対の前縁リンク部材の他端が一端よりも前方に位置すると共に一対の後縁リンク部材の他端が一端よりも後方に位置するように、一対の前縁リンク部材及び一対の後縁リンク部材の夫々の折り畳み方向を特定する特定手段を具備しているために、一対の前縁リンク部材と一対の後縁リンク部材とを、これらが折り畳み時に互いに干渉しないように、前後方向において並べて配することができ、而して、リンク機構の羽根の長手方向における設置幅を狭めることができる。
【０００８】
本発明のブラインド装置の好ましい例では、羽根の長手方向における端部には凹所又は長孔が形成されており、他端が一端よりも後方に位置するように折り畳まれる一対の前縁リンク部材又は他端が一端よりも前方に位置するように折り畳まれる一対の後縁リンク部材の夫々の一端は、当該凹所又は長孔において羽根の夫々の端部に回転自在に連結されている。
【０００９】
本発明のブラインド装置の好ましい例では、特定手段は、一対の前縁リンク部材及び一対の後縁リンク部材の夫々の折り畳み方向を特定すべく、一方の前縁リンク部材及び一方の後縁リンク部材の夫々の他端に設けられていると共に、他方の前縁リンク部材及び他方の後縁リンク部材の夫々の他端に接して一対の前縁リンク部材の相互の所定量以上の回転及び一対の後縁リンク部材の相互の所定量以上の回転を阻止する阻止片を具備している。
【００１０】
本発明のブラインド装置の好ましい例では、一対の前縁リンク部材と一対の後縁リンク部材とに相対的な位置変化を生じさせて、複数の羽根を傾動させるチルト機構を更に具備している。斯かる例においては、チルト機構は、揺動により複数の羽根を傾動させることができるように、最上位の羽根の前縁部又は最上位の前縁リンク部材の一端に前縁部で連結されていると共に最上位の羽根の後縁部又は最上位の後縁リンク部材の一端に後縁部で連結されている揺動自在な揺動自在部材と、揺動自在部材を揺動させるべく昇降機構の作動を揺動自在部材に伝達するクラッチ機構とを具備していてもよい。
【００１１】
本発明のブラインド装置の好ましい例では、昇降機構は、複数の羽根のうちの最下位の羽根から上昇させると共に当該最下位の羽根から下降させるようになっている。
【発明の効果】
【００１２】
本発明によれば、リンク機構の設置幅を狭めることができるブラインド装置を提供し得る。
【発明を実施するための最良の形態】
【００１３】
次に、本発明の実施の形態の例を、図に示す例に基づいて更に詳細に説明する。尚、本発明はこれら例に何等限定されないのである。
【実施例】
【００１４】
図１から図９において、本例のブラインド装置１は、横方向Ｘで互いに対向している一対の縦枠２及び３間において互いに上下方向Ｚで並置された複数の羽根４と、複数の羽根４を相互に連結している折り畳み自在なリンク機構５と、複数の羽根４を上下方向Ｚにおいて上昇及び下降させる昇降機構６と、リンク機構５の一対の前縁リンク部材３４及び３５と一対の後縁リンク部材４４及び４５とに相対的な位置変化を生じさせて、複数の羽根４を傾動させるチルト機構７とを具備している。
【００１５】
縦枠２側のリンク機構５、昇降機構６及びチルト機構７と縦枠３側のリンク機構、昇降機構及びチルト機構とは、夫々互いに略同様に構成されているので、以下、主に縦枠２側のリンク機構５、昇降機構６及びチルト機構７について詳細に説明し、縦枠３側のリンク機構、昇降機構及びチルト機構については図に適宜同符号を付してこれらの詳細な説明を省略する。
【００１６】
縦枠２と縦枠３とは、横方向Ｘに伸びた上枠１１により橋絡されている。縦枠２及び３並びに上枠１１は、複数の羽根４によって開放及び閉鎖される開口部１２を画している。縦枠２の羽根４側の側壁１３には、上下方向Ｚに伸びるスリット１４が形成されている。
【００１７】
羽根４の夫々は、特に図４及び図５に示すように、断面円弧状の羽根本体２１と、羽根本体２１の長手方向（本例では横方向Ｘと同方向）における端部２２に設けられていると共に端部２２においてリンク機構５を羽根本体２１に連結している連結具２３とを具備している。尚、縦枠２及び３間に並置される複数の羽根４の枚数は、ブラインド装置１が設置される建物の窓等の寸法等に応じて適宜設定される。
【００１８】
連結具２３は、略円弧状の本体２４と、一対の前縁リンク部材３４及び３５又は一対の後縁リンク部材４４及び４５が配されるように、本例では一対の前縁リンク部材３４及び３５が配されるように、前後方向Ｙに伸びて本体２４に形成された凹所（スリット）２５と、縦枠２のスリット１４に挿通されて当該スリット１４に上下方向Ｚに案内される軸部２６とを具備している。連結具２３には、凹所２５に代えて、前後方向Ｙに伸びた長孔が形成されていてもよい。
【００１９】
リンク機構５は、上下方向Ｚで互いに隣接する羽根４の前縁部３１に夫々の一端３２で回転自在に連結されていると共に他端３３で互いに回転自在に連結されて折り畳み自在となっている一対の前縁リンク部材３４及び３５と、ブラインド装置１の前後方向Ｙで一対の前縁リンク部材３４及び３５に並んで配されており、上下方向Ｚで互いに隣接する羽根４の後縁部４１に夫々の一端４２で回転自在に連結されていると共に他端４３で互いに回転自在に連結されて折り畳み自在となっている一対の後縁リンク部材４４及び４５と、一対の前縁リンク部材３４及び３５並びに一対の後縁リンク部材４４及び４５が折り畳まれた際に、一対の前縁リンク部材３４及び３５並びに一対の後縁リンク部材４４及び４５の夫々の他端３３及び４３が夫々の一端３２及び４２よりも後方に位置するように、一対の前縁リンク部材３４及び３５並びに一対の後縁リンク部材４４及び４５の夫々の折り畳み方向を特定する特定手段４６とを具備している。
【００２０】
一対の前縁リンク部材３４及び３５のうちの上位の前縁リンク部材３４の一端３２は、凹所２５において上位の羽根４の前縁部３１にピン５０を介して回転自在に連結されており、一対の前縁リンク部材３４及び３５のうちの下位の前縁リンク部材３５の一端３２は、凹所２５において下位の羽根４の前縁部３１にピン５０を介して回転自在に連結されている。一対の前縁リンク部材３４及び３５は、本例では上下方向Ｚで互いに隣接する羽根４の枚数に応じて夫々の一端３２で互いに回転自在に連結されて複数個連なっており、斯かる複数個の一対の前縁リンク部材３４及び３５は、前縁リンク列を構成している。前縁リンク部材３４及び３５の夫々はリンクアーム等からなる。
【００２１】
一対の前縁リンク部材３４及び３５は、阻止片５５により所定量以上の相互の回転が阻止されることにより、一対の前縁リンク部材３４及び３５が伸長された場合においても１８０度未満の折れ角度θが維持される。
【００２２】
一対の後縁リンク部材４４及び４５のうちの上位の後縁リンク部材４４の一端４２は、上位の羽根４の後縁部４１にピン５０を介して回転自在に連結されており、一対の後縁リンク部材４４及び４５のうちの下位の後縁リンク部材４５の一端４２は、下位の羽根４の後縁部４１にピン５０を介して回転自在に連結されている。一対の後縁リンク部材４４及び４５は、本例では上下方向Ｚで互いに隣接する羽根４の枚数に応じて夫々の一端４２で互いに回転自在に連結されて複数個連なっており、斯かる複数個の一対の後縁リンク部材４４及び４５は、後縁リンク列を構成している。後縁リンク部材４４及び４５の夫々はリンクアーム等からなる。
【００２３】
一対の後縁リンク部材４４及び４５は、阻止片５５により所定量以上の相互の回転が阻止されることにより、一対の後縁リンク部材４４及び４５が伸長された場合においても一対の前縁リンク部材３４及び３５の折れ角度と同等の１８０度未満の折れ角度θが維持される。
【００２４】
特定手段４６は、一対の前縁リンク部材３４及び３５並びに一対の後縁リンク部材４４及び４５の夫々の折り畳み方向を特定すべく、前縁リンク部材３４の他端３３及び後縁リンク部材４４の他端４３に一体的に設けられていると共に、前縁リンク部材３５の他端３３及び後縁リンク部材４５の他端４３に接して一対の前縁リンク部材３４及び３５の相互の所定量以上の回転及び一対の後縁リンク部材４４及び４５の相互の所定量以上の回転を阻止する阻止片５５を具備している。
【００２５】
昇降機構６は、可撓性の長尺体としての有端のチェーン６１と、前縁部３１側で垂れ下がっているチェーン６１の一端を複数の羽根４のうちの最下位の羽根４の軸部２６に連結している連結部材６２と、チェーン６１をＡ及びＢ方向に走行させる走行手段６３とを具備している。
【００２６】
走行手段６３は、チェーン６１が掛けられていると共に、縦枠２にＲ１及びＲ２方向に回転自在に支持された回転体としてのスプロケットホイール６５と、スプロケットホイール６５が固着されていると共に横方向Ｘに伸びてＲ１及びＲ２方向に回転自在な断面六角形状の回転軸６６と、回転軸６６を出力回転軸とすると共に、縦枠２に支持された減速機６７と、減速機６７の入力回転軸を出力回転軸とすると共に、減速機６７に取り付けられた電動モータ６８とを具備しており、電動モータ６８の作動により減速機６７及び回転軸６６を介してスプロケットホイール６５をＲ１及びＲ２方向に回転させ、この回転によりチェーン６１をＡ及びＢ方向に走行させるようになっている。
【００２７】
チェーン６１は、当該チェーン６１の走行が上下方向Ｚに案内されるように、縦枠２内において縦枠２に一体的に上下方向Ｚに伸びて形成された各一対の案内突条７１及び７２間に夫々挟まれて不要な撓みが阻止されている。チェーン６１は、案内突条７１及び７２の上方においてスプロケットホイール６５の周りに配されていると共に縦枠２に支持されたチェーン押え７０に押さえられて不要な撓みが阻止されている。
【００２８】
回転軸６６は、縦枠２内から縦枠３内まで横方向Ｘに伸びており、スプロケットホイール６５と同様に構成された縦枠３内のスプロケットホイールにも固着されている。
【００２９】
以上の昇降機構６は、走行手段６３によるチェーン６１の走行により連結部材６２を介して複数の羽根４のうちの最下位の羽根４を上昇及び下降させ、而して、複数の羽根４を最下位の羽根４から先行して上昇及び下降させるようになっている。
【００３０】
縦枠３側の昇降機構は、そのスプロケットホイールが回転軸６６の縦枠３内における端部に固着されることにより、縦枠２側の走行手段６３を縦枠２側の昇降機構６と共有している。
【００３１】
チルト機構７は、Ｒ１及びＲ２方向の揺動により複数の羽根４をＲ５及びＲ６方向に傾動させることができるように、最上位の羽根４の前縁部３１又は最上位の前縁リンク部材３４の一端３２に前縁部７１ａで連結されていると共に最上位の羽根４の後縁部４１又は最上位の後縁リンク部材４４の一端４２に後縁部７２ａで連結されているＲ１及びＲ２方向に揺動自在な揺動自在部材７３と、昇降機構６による一対の前縁リンク部材３４及び３５並びに一対の後縁リンク部材４４及び４５の伸長に際して揺動自在部材７３を揺動させるべく昇降機構６の作動を揺動自在部材７３に伝達するクラッチ機構７５とを具備している。
【００３２】
揺動自在部材７３は、回転軸６６に軸受８１を介して当該回転軸６６に対してＲ１及びＲ２方向に回転自在に設けられた円板部８２と、円板部８２に一体的に設けられていると共に当該円板部８２から前方に突出している突出部８３と、円板部８２に一体的に設けられていると共に当該円板部８２から後方に突出している突出部８４と、突出部８３の前縁部７１ａは、ワイヤ等からなる紐状体８６を介して最上位の羽根４の連結具２３の前縁部３１に連結されており、突出部８４の後縁部７２ａは、紐状体８６を介して最上位の羽根４の連結具２３の後縁部４１に連結されている。
【００３３】
クラッチ機構７５は、チェーン６１に取り付けられた突起９６と、チェーン６１の走行において突起９６が嵌合される凹所９７が形成されていると共に揺動自在部材７３に固着された円板部材９５と、図８に示す回転禁止状態に設定された際には、円板部材９５に係合して揺動自在部材７３の揺動を禁止する一方、突起９６の凹所９７への嵌合に際し、突起９６により図７に示す回転許容状態に設定されて、揺動自在部材７３の揺動を許容するように円板部材９５に対する係合を解除する掛け金部材９８と、掛け金部材９８を回転禁止状態に設定するように弾性的に付勢する弾性手段９９とを具備している。
【００３４】
掛け金部材９８は、一端１００で軸１０１を介してチェーン押え７０にＲ３及びＲ４方向に回転自在に取り付けられており、こうして掛け金部材９８は、チェーン押え７０を介して縦枠２に回転自在に取り付けられている。掛け金部材９８は、他端に爪部１０２を有しており、掛け金部材９８が回転禁止状態に設定される際には、爪部１０２は、円板部材９５の凹所９７に配されて、凹所９７と爪部１０２との間に、案内楔空間１０３が形成されるようになっている。弾性手段９９は、ねじりコイルばねからなり、その一端はチェーン押え７０に係止され、その他端は掛け金部材９８に係止され、中央部が軸１０１に巻き付けられて配されており、掛け金部材９８を、軸１０１を中心としてＲ３方向に回転させるように、弾性付勢している。クラッチ機構７５は、円板部材９５に形成された突起１０４を具備しており、掛け金部材９８は、一端１００と爪部１０２との間に凹所１０５を有しており、掛け金部材９８が回転禁止状態に設定される際には、突起１０４は、凹所１０５に配されて、突起１０４と凹所１０５とが係合されるようになっており、突起１０４と凹所１０５との係合により、円板部材９５は、回転軸６６を中心とするＲ１及びＲ２方向の回転が禁止され、而して、円板部材９５が固着された揺動自在部材７３は、回転軸６６を中心とするそのＲ１及びＲ２方向の揺動が禁止されるようになっている。
【００３５】
以下、本例のブラインド装置１の動作について、図を参照して詳細に説明する。図２に示すようにリンク機構５が伸長された状態においては、複数の羽根４は、建物の開口部を閉鎖するように、前後方向Ｙに対して６０度程度の傾斜角をもって傾動された状態となっており、揺動自在部材７３も一定量揺動された状態となっており、チェーン６１に設けられた突起９６は、図６に示すように凹所９７に配されて突起１０４と凹所１０５との係合が解除された状態となっており、掛け金部材９８は、円板部材９５の外縁部１０７に当接して円板部材９５の回転許容状態を保っている。斯かる状態において電動モータ６８が作動されると、減速機６７及び回転軸６６を介してスプロケットホイール６５がＲ１方向に回転し、この回転によりチェーン６１がＡ方向に走行する。チェーン６１のＡ方向の走行と共に突起９６も回転軸６６を中心としてＲ１方向に移動し、当該突起９６の移動により円板部材９５もＲ１方向に回転して揺動自在部材７３をＲ１方向に揺動させ、当該揺動自在部材７３の揺動により、上方に引っ張られる前縁部７１ａ側の紐状体８６を介して最上位の一対の前縁リンク部材３４及び３５と当該一対の前縁リンク部材３４及び３５の下方に連なる下位の一対の前縁リンク部材３４及び３５とを上昇させると共に、下方に下げられる後縁部７２ａ側の紐状体８６を介して最上位の一対の後縁リンク部材４４及び４５と当該一対の後縁リンク部材４４及び４５の下方に連なる下位の一対の後縁リンク部材４４及び４５とを下降させて、複数の羽根４を同期的にＲ５方向に傾動させて図１に示すような略水平状態にする。
【００３６】
更にチェーン６１がＡ方向に走行されると、突起９６が凹所９７から抜け始め、突起９６が凹所９７から抜けることにより、掛け金部材９８が軸１０１を中心としてＲ１方向に回転され、突起１０４と凹所１０５とが係合される。図８に示すように、突起１０４と凹所１０５とが係合することにより、揺動自在部材７３の回転は阻止される。チェーン６１のＡ方向の走行が続行されることにより、連結手段６４によりチェーン６１に下部で連結されたリンク機構５が折り畳まれ始め、この折り畳みにより、リンク機構５に連結されている複数の羽根４が下方から順次重ね合わされる。複数の羽根４が全て重ね合わされると、電動モータ６８の作動が停止され、図９に示すような開口部１２の開放状態が維持される。
【００３７】
図９に示すような開放状態において電動モータ６８が逆作動されると、チェーン６１がＢ方向に走行し、この走行により最上位の一対の前縁リンク部材３４及び３５並びに最上位の一対の後縁リンク部材４４及び４５から順次伸長し始め、これにより複数の羽根４の重ね合わせが上位の羽根４から順次解除される。リンク機構５が全て伸長されて複数の羽根４もまたその重ね合わせが全て解除されると、図７に示すように、突起９６が案内楔空間１０３を通って凹所９７に嵌入され、この嵌入により突起９６が掛け金部材９８を弾性手段９９の弾性力に抗してＲ３方向に回転させて突起１０４の凹所１０５への係合を解除し、この解除により突起９６の移動と共に揺動自在部材７３がＲ１方向とは逆のＲ２方向に揺動され、この揺動により、上方に引っ張られる後縁部７２ａ側の紐状体８６を介して一対の後縁リンク部材４４及び４５を上昇させると共に、下方に下げられる前縁部７１ａ側の紐状体８６を介して一対の前縁リンク部材３４及び３５を上昇させて、複数の羽根４を同期的にＲ６方向に回転させて図２に示すような開口部１２の閉鎖状態にする。その後、電動モータ６８の作動が停止され、開口部１２の閉鎖状態が維持される。
【００３８】
以上のブラインド装置１によれば、互いに並置された複数の羽根４と、複数の羽根４を相互に連結している折り畳み自在なリンク機構５と、複数の羽根４を上昇及び下降させる昇降機構６とを具備しており、リンク機構５は、互いに隣接する羽根４の前縁部３１に夫々の一端３２で回転自在に連結されていると共に他端３３で互いに回転自在に連結されて折り畳み自在となっている一対の前縁リンク部材３４及び３５と、前後方向Ｙで一対の前縁リンク部材３４及び３５に並んで配されており、互いに隣接する羽根４の後縁部４１に夫々の一端４２で回転自在に連結されていると共に他端４３で互いに回転自在に連結されて折り畳み自在となっている一対の後縁リンク部材４４及び４５と、一対の前縁リンク部材３４及び３５並びに一対の後縁リンク部材４４及び４５が折り畳まれた際に、一対の前縁リンク部材３４及び３５並びに一対の後縁リンク部材４４及び４５の夫々の他端３３及び４３が夫々の一端３２及び４２よりも後方に位置するように、一対の前縁リンク部材３４及び３５並びに一対の後縁リンク部材４４及び４５の夫々の折り畳み方向を特定する特定手段４６とを具備しているために、一対の前縁リンク部材３４及び３５と一対の後縁リンク部材４４及び４５とを、これらが折り畳み時に互いに干渉しないように、前後方向Ｙにおいて並べて配することができ、而して、リンク機構５の羽根４の長手方向における設置幅を狭めることができる。
【００３９】
ブラインド装置１は、特定手段４６に代えて、一対の前縁リンク部材３４及び３５並びに一対の後縁リンク部材４４及び４５が折り畳まれた際に、一対の前縁リンク部材３４及び３５及び一対の後縁リンク部材４４及び４５の夫々の他端３３及び４３が夫々の一端３２及び４２よりも前方に位置するように又は一対の前縁リンク部材３４及び３５の他端３３が一端３２よりも前方に位置すると共に一対の後縁リンク部材４４及び４５の他端４３が一端４２よりも後方に位置するように、一対の前縁リンク部材３４及び３５並びに一対の後縁リンク部材４４及び４５の夫々の折り畳み方向を特定する特定手段を具備していてもよい。ブラインド装置１は、一対の前縁リンク部材３４及び３５並びに一対の後縁リンク部材４４及び４５が折り畳まれた際に、一対の前縁リンク部材３４及び３５並びに一対の後縁リンク部材４４及び４５の夫々の他端３３及び４３が夫々の一端３２及び４２よりも前方に位置するように、一対の前縁リンク部材３４及び３５並びに一対の後縁リンク部材４４及び４５の夫々の折り畳み方向を特定する特定手段を具備している場合には、連結具２３に代えて、一対の後縁リンク部材４４及び４５が配される前後方向Ｙに伸びた凹所又は長孔が形成された連結具を具備していてもよく、また、一対の前縁リンク部材３４及び３５並びに一対の後縁リンク部材４４及び４５が折り畳まれた際に、一対の前縁リンク部材３４及び３５の他端３３が一端３２よりも前方に位置すると共に一対の後縁リンク部材４４及び４５の他端４３が一端４２よりも後方に位置するように、一対の前縁リンク部材３４及び３５並びに一対の後縁リンク部材４４及び４５の夫々の折り畳み方向を特定する特定手段を具備している場合には、連結具２３に代えて、凹所又は長孔の構成が省かれてなる連結具を具備していてもよい。  
【図面の簡単な説明】
【００４０】
【図１】本発明の実施の形態の例の斜視説明図である。
【図２】図１に示す例の側断面説明図である。
【図３】図１に示す例の一部拡大正面説明図である。
【図４】図１に示す例の一部拡大斜視説明図である。
【図５】図１に示す例の一部拡大平断面説明図である。
【図６】図１に示す例の主にクラッチ機構の説明図である。
【図７】図１に示す例の主にクラッチ機構の説明図である。
【図８】図１に示す例の主にクラッチ機構の説明図である。
【図９】図１に示す例の動作説明図である。
【符号の説明】
【００４１】
１  ブラインド装置
４  羽根
５  リンク機構
６  昇降機構
７  チルト機構
３４、３５  前縁リンク部材
４４、４５  後縁リンク部材
【図１】
2006083624.tif 000003
【図２】
2006083624.tif 000004
【図３】
2006083624.tif 000005
【図４】
2006083624.tif 000006
【図５】
2006083624.tif 000007
【図６】
2006083624.tif 000008
【図７】
2006083624.tif 000009
【図８】
2006083624.tif 000010
【図９】
2006083624.tif 000011